(57)【要約】【課題】ユーカリの香気薬効成分を穏やかに放散・溶出させることにより、花粉症・アトピーなどアレルギー性によるものを含む喘息・咳・痰・鼻炎・鼾など呼吸器系の症状の緩和、睡眠障害の改善、抗菌・防虫・防ダニ・防カビ、消臭、肌の保湿・バリア機能の改善、緊張緩和、鎮痛、血行促進等の効果を得、清潔で快適な環境をつくり、アレルギー性の諸症状を改善し、安眠を促し、健康的な生活を推進することを目的とする。【解決手段】穏やかな香気薬効成分の放散のため、乾燥させたユーカリの葉を用いる。充填する袋のサイズ、用途、使用部位による使い勝手、使い心地に対応するため、葉は、細かく破砕・細断したもの、未破砕・未細断のもの、或いはその両方を混合したものを用いる。薬効成分のスムーズな放散・溶出のため、充填する袋は通気性・透水性のあるものを用いる。香り成分の放散をより促す方法として、発熱機能を付帯させる。【選択図】なし【特許請求の範囲】
【請求項１】
通気性のある袋の中に、乾燥させたユーカリの葉を、充填して作る枕・クッション・寝具・芳香袋。
【請求項２】
通気性のある袋の中に、乾燥させたユーカリの葉を、部分的に充填して作る枕・クッション・寝具・芳香袋。
【請求項３】
通気性のある袋の中に、乾燥させたユーカリの葉を、他の資材と混合し充填して作る枕・クッション・寝具・芳香袋。
【請求項４】
枕本体の中または枕本体と外カバーの間に挿入して使用することを目的として、通気性のある袋の中に乾燥させたユーカリの葉を充填した薄厚芳香袋。
【請求項５】
通気性のある袋の中に乾燥させたユーカリの葉を充填して作る靴用芳香袋。
【請求項６】
乾燥させたユーカリの葉を透水性のある袋に充填し、浴槽の湯に浸して使う入浴剤。
【請求項７】
ペット用クッションに使用することを目的として、通気性のある袋の中に乾燥させたユーカリの葉を充填した薄厚芳香袋。
【請求項８】
通気性のある袋の中に乾燥させたユーカリの葉を充填し温熱機能を付帯した芳香袋。
【請求項９】
請求項１〜８に使用するユーカリの葉は、細かく破砕・細断したもの、未破砕・未細断のもの、或いはその両方を混合したものを、充填する袋の形状や使い勝手に合わせて選択し、使用する。
【発明の詳細な説明】
【技術分野】
【０００１】
本発明は、枕等の寝具類・クッション類や芳香袋、入浴剤などの充填物から植物等の香気成分を放散・溶出させ、安眠の促進、アレルギー性の症状の緩和、他の効果を図るものである。
【背景技術】
【０００２】
植物の中でもユーカリに含まれる香気成分には、防虫・防ダニ効果、抗ウイルス・殺菌効果や消臭効果など様々な薬効のあることが知られている。また、その利用法はユーカリ精油を用いる方法が主である。
【発明の開示】
【発明が解決しようとする課題】
【０００３】
本発明は、寝具類・クッション類や芳香袋、入浴剤などからユーカリの香気薬効成分を放散・溶出させることにより、花粉症・アトピーなどアレルギー性によるものを含む喘息・咳・痰・鼻炎・鼾など呼吸器系の症状の緩和、睡眠障害の改善、抗菌・防虫・防ダニ・防カビ、消臭、肌の保湿・バリア機能の改善、緊張緩和、鎮痛、血行促進等の効果を得、清潔で快適な環境をつくり、アレルギー性の諸症状を改善し、安眠を促し、健康的な生活を推進することを目的とする。
【０００４】
ユーカリの薬効利用には精油を用いる方法が一般的であるが、揮発性であることから濃縮された香りと薬効成分が短時間に放散されてしまい、また、刺激が強いことから、特に就寝時の枕等寝具に使用する場合や妊婦や乳幼児が使用する場合には不適当であるため、精油を用いずに、香り成分を穏やかに放散する手法によりユーカリの薬効を得ることを図る。
【０００５】
枕等寝具用に使う場合に、快適な睡眠のため、寝心地を損なわぬようにし、且つ、穏やかながら効率よくユーカリの薬効成分が呼吸により吸収される手段を用いる。
【０００６】
使用目的に適したサイズ・形状に対応できる充填物の形状の工夫をし、また香気成分がスムーズに放散・溶出されるような手段を用いる。
【課題を解決するための手段】
【０００７】
香りと薬効成分を穏やかに放散させるため、一般的な精油ではなく乾燥させたユーカリの葉を用いることとした。また、細かく砕いた葉も用いることで、充填する袋のサイズ、用途、使用部位による使い勝手、使い心地に対応できるようにもした。
【０００８】
ユーカリの薬効成分がスムーズに放散・溶出されるよう、通気性・透水性のある袋を用いる。
【０００９】
枕等寝具に用いる場合は、できるだけ就寝中の呼吸によりユーカリの香り成分が穏やかに吸入されるよう、また、寝心地を損なうことのないよう、枕・芳香袋の形状・配置を工夫した。
【００１０】
ユーカリの香り成分の放散をより促す方法として、鉄粉の酸化熱による発熱機能を付帯させる。
【発明の効果】
【００１１】
乾燥させた葉を用いることで、ユーカリの香りと薬効成分が穏やかに放散・溶出され、花粉症・アトピーなどアレルギー性によるものを含む喘息・咳・痰・鼻炎・鼾など呼吸器系の症状の緩和、睡眠障害の改善、抗菌・防虫・防ダニ・防カビ、消臭、肌の保湿・バリア機能の改善、緊張緩和、鎮痛、血行促進、肩こり・筋肉痛・関節痛の軽減、疲労回復等の効果を得ることができる。
【００１２】
ユーカリの乾燥した葉から放散される香り成分には、揮発性の精油のような過度な刺激もないことから就寝時の使用に適し、また、妊婦・乳幼児にも安心して使用できる。枕等の寝具に用いれば、葉から放散される香り成分が、就寝中の呼吸により吸収され、穏やかに且つ効果的に作用する。日常的に繰り返し継続して放散吸収されることで、喘息・咳・痰・鼻炎・鼾など呼吸器系の症状を鎮め、これら症状による睡眠障害の改善に効果がある。
【００１３】
家の中に生息するチリダニ類は、アトピー性皮膚炎や気管支喘息などアレルギー性疾患の主原因になっていることが知られているが、このチリダニ類を防除する作用が木の香り成分にあること、木の香りの中でもユーカリの香り成分には他の樹種と比較し突出した防除効果のあることが最近の研究で明らかになっている。ユーカリの葉を充填した枕や芳香袋から放散される香り成分は、喘息などの症状自体を鎮める効果があるばかりでなく、チリダニ類の駆除によってアレルギー性疾患の原因そのものを抑える効果が得られる。
【００１４】
室内に、ユーカリの葉を充填した芳香袋を置くと、空気中に放散されるユーカリの香り成分のもつ抗菌・抗ウィルス作用により、風邪やインフルエンザなどの予防効果がある。
【００１５】
室内に、ユーカリの葉を充填した芳香袋を置くと、空気中に放散されるユーカリの香り成分のもつ消臭作用により、生活臭・ペット臭などを抑える効果がある。
【００１６】
ユーカリには防虫効果があることから、タンスの引き出し等にユーカリの葉を充填した芳香袋を収納しておくと衣類の虫除けとなる。
【００１７】
靴用芳香剤として用いた場合、ユーカリの香り成分による消臭・抗菌効果で、靴内の足臭を消すと同時にカビ・水虫等の防止ができる。乾燥した葉を用いることで足の発汗で蒸れた靴内の調湿効果もある。また、鉄粉の酸化熱を利用した発熱材（使い捨てカイロと同じもの）を付帯させれば、香り成分の蒸散をより促し、効果を高めることができる。
【００１８】
入浴剤として、ユーカリの葉を充填した透水性の袋を入浴時の湯水に浸すと、湯水に溶出したユーカリの薬効成分が、皮膚に保湿効果をもたらし、皮膚炎などの症状を鎮め抵抗力を高める効果をもたらす。併せて、湯気と一緒に放散される薬効成分が入浴中の呼吸により体内に吸入され、前述のような呼吸器系の症状の緩和やリラックス効果が得られる。
【００１９】
ユーカリの葉を充填した薄厚芳香袋をペット用クッションの下敷き等に使用すると、ペット臭の消臭効果や、虫除け効果が得られる。
【００２０】
ユーカリの葉を充填した芳香袋に鉄粉の酸化熱を利用した発熱材を付帯させて肩などにあてると、発熱材から発せられる低温の温熱によって促されたユーカリの香り成分の放散と温熱作用による血行促進により、ユーカリの香り成分の吸収による薬効と合わせて、マッサージ効果、リラックス効果が得られる。
【発明を実施するための最良の形態】
【００２１】
充填するユーカリの葉は乾燥したもので、細かく破砕・細断したもの、未破砕・未細断のもの、或いはその両方を混合したものを用いる。充填する袋は通気性を備えた外包材を用い、また入浴剤として使用する場合は透水性を備えた外包材を用い、ユーカリの薬効成分をスムーズに放散・溶出させる。
【実施例１】
【００２２】
通気性のある外装材でできた袋の中に乾燥したユーカリの葉を充填し、枕または芳香袋として使用する。充填するユーカリの葉は図１、図２の形状のものを、使い心地を配慮して選択し使用する。図３、図４は、この例を示すものである。袋の中に納めるユーカリ葉の充填量やサイズのバランスを変えることで、枕としての使い心地や、芳香袋のサイズに対応させることができる。
【実施例２】
【００２３】
図５、図６は、薄厚の通気性のある袋にユーカリの葉を充填したものを、一般に市販され使用されている枕の上に置き枕カバーを被せた状態を示している。様々な形状材質の枕の寝心地はほとんど違和感のないようにしながら、就寝中の頭部の体温により温められることでユーカリの香り成分の放散を促し、呼吸を通じて薬効を得ることができる。
【実施例３】
【００２４】
図５、図７は、通気性のある袋にユーカリの葉を充填したものを、一般に市販され使用されている枕の充填物（ソバ殻等）の中に納めて使用する例を示したものである。枕の充填物を通してユーカリの香り成分を放散させ、より穏やかな薬効を得ることができる。
【実施例４】
【００２５】
図５、図８は、通気性のある袋にユーカリの葉を充填したものを、一般に市販されている枕の下に置き使用している例を示したものである。この使い方によれば、ユーカリの香り成分を、枕の下から枕内の羽毛など充填物を通して、また枕の周辺部から、他の方法よりも一層穏やかに放散させることができる。
【実施例５】
【００２６】
図９、図１０は、一般に使われている枕の両サイドに、通気性のある袋にユーカリの葉を充填したものを配置し、それを枕カバーで被い一体のものとし使用する実施例である。枕としての寝心地の部分は何ら損なうことなく、且つ就寝中に左右両サイドから放散されるユーカリの香り成分が呼吸によって吸収され、薬効を得ることができる。
【実施例６】
【００２７】
図１１は、小型の通気性のある袋にユーカリの葉を充填したものを、靴内に納めた実施例である。足の発汗により靴内にこもった湿気を吸収して調湿するとともに、ユーカリの薬効成分のもつ消臭・抗菌作用により、靴の足臭を消し、カビ・水虫などを防止するなどの効果を得ることができる。図１２は、図１１のものに鉄粉の酸化熱を利用した使い捨てカイロを発熱材として付帯させたもので、香り成分の蒸散をより促し、効果を高めることができる。
【実施例７】
【００２８】
図１３は、小型の透水性のある袋にユーカリの葉を充填したものを、入浴剤として使用する実施例である。入浴前にユーカリ葉を充填した袋をお湯に浸しておくことで、入浴時には薬効成分がお湯に十分溶け出しており、また浴室内には湯気の蒸気とともに香り成分が放散されており、肌の保湿、炎症の鎮静、呼吸器官の症状の緩和、精神的なリフレッシュなどの効果をもたらす。
【実施例８】
【００２９】
図１４は、ユーカリの葉を充填した薄厚芳香袋をペット用クッションの下敷きに使用した例である。ユーカリの香り成分によって、消臭・虫除け効果をもたらす。
【実施例９】
【００３０】
図１５は、小型の通気性のある袋にユーカリの葉を充填したものに、鉄粉の酸化熱を利用した使い捨てカイロを発熱体として付帯したものを肩にあてた状態を示すものである。カイロから発せられる低温の温熱によって促されたユーカリの香り成分の放散と温熱作用による血行促進により、ユーカリの香り成分の吸収による薬効と合わせて、マッサージ効果、リラックス効果が得られる。
【図面の簡単な説明】
【００３１】
【図１】乾燥したユーカリの葉を細かく破砕・細断したものの例。
【図２】未破砕・未細断の乾燥したユーカリの葉の例。
【図３】ユーカリ葉を充填した枕、芳香袋（実施例１）
【図４】ユーカリ葉を充填した枕、芳香袋の断面（実施例１）
【図５】枕カバーの下に、或いは枕の中に、または枕の下に収めて使うユーカリ葉を充填した薄厚の芳香袋（実施例２）
【図６】枕カバーの下に収めて使うユーカリ葉を充填した薄厚の芳香袋の断面（実施例２）
【図７】枕の中に収めて使うユーカリ葉を充填した薄厚の芳香袋（実施例３）
【図８】枕の下に収めて使うユーカリ葉を充填した薄厚の芳香袋（実施例４）
【図９】枕の両サイドにユーカリ葉を充填した芳香袋を配置した例（実施例５）
【図１０】枕の両サイドにユーカリ葉を充填した芳香袋を配置した例の断面（実施例５）
【図１１】靴用芳香剤として靴内に収めたユーカリ葉を充填した芳香袋（実施例６）
【図１２】靴用芳香剤として靴内に収めたユーカリ葉を充填した芳香袋に使い捨てカイロを付帯させている例（実施例６）
【図１３】透水性のある袋にユーカリ葉を充填した入浴剤の使用例（実施例７）
【図１４】ペットのクッション下敷にユーカリ葉を充填した薄厚の消臭・防虫袋使った例（実施例８）
【図１５】ユーカリ葉を充填した小型の芳香袋に使い捨てカイロを付帯させ肩部にあてた状態を示す例（実施例９）
【符号の説明】
【００３２】
１  通気性のある袋
２  充填されているユーカリ葉
３  通気性のある袋にユーカリ葉を充填した薄厚の芳香袋
４  一般的な充填物を詰めた枕・クッション
５  枕カバー
６  通気性のある袋にユーカリ葉を充填した芳香袋
７  靴
８  通気性のある袋にユーカリ葉を充填した小型の芳香袋
９  鉄粉の酸化熱を利用した小型の発熱材（使い捨てカイロ）
１０  浴槽
１１  湯水
１２  透水性の袋にユーカリ葉を充填した入浴剤
１３  ペット用クッション
１４  通気性のある袋にユーカリ葉を充填した薄厚の芳香袋
１５  通気性のある袋にユーカリ葉を充填した小型薄厚の芳香袋
【図１】
2005328901.tif 000002
【図２】
2005328901.tif 000003
【図３】
2005328901.tif 000004
【図４】
2005328901.tif 000005
【図５】
2005328901.tif 000006
【図６】
2005328901.tif 000007
【図７】
2005328901.tif 000008
【図８】
2005328901.tif 000009
【図９】
2005328901.tif 000010
【図１０】
2005328901.tif 000011
【図１１】
2005328901.tif 000012
【図１２】
2005328901.tif 000013
【図１３】
2005328901.tif 000014
【図１４】
2005328901.tif 000015
【図１５】
2005328901.tif 000016